(57)【要約】【課題】  外側養生シートと足場脚部との隙間をなくすことができ、周囲への塗料の飛散を防ぐことが可能であり、また、飛散防止シートと外側養生シートとを二重張りにすることで、外側養生シートを汚れにくくすることができる飛散防止シート及び飛散防止シートの使用方法を提供することにある。【解決手段】  足場の脚部の突起部を貫通させるスリット部を備え、複数の脚部に渡って横方向に幅広に張設可能なシート状であることを特徴とし、足場の最外側に設けられた足場の２本の脚部の間に縦方向に張られた外側養生シートの内側に、外側養生シート同士の縦に伸びる隙間を覆うように張設可能であることを特徴とする。【選択図】図１
2018053509.tif 000002
【特許請求の範囲】
【請求項１】
塗装中の建築構造物の外観を覆う飛散防止シートにおいて、
足場の脚部の突起部を貫通させるスリット部を備え、
複数の該脚部に渡って横方向に幅広に張設可能なシート状であることを特徴とする飛散防止シート。
【請求項２】
前記足場の最外側に設けられた該足場の２本の前記脚部の間に縦方向に張られた外側養生シートの内側に、該外側養生シート同士の縦に伸びる隙間を覆うように張設可能であることを特徴とする請求項１記載の飛散防止シート。
【請求項３】
塗装中の建築構造物の外観を覆う飛散防止シートの使用方法において、
該飛散防止シートに設けられたスリット部に、足場の脚部の突起部を貫通させて、
該飛散防止シートを、複数の該脚部に渡って横方向に幅広に張設することを特徴とする飛散防止シートの使用方法。
【請求項４】
前記飛散防止シートを、前記足場の最外側に設けられた該足場の２本の前記脚部の間に縦方向に張られた外側養生シートの内側に、該外側養生シート同士の縦に伸びる隙間を覆うように張設することを特徴とする請求項３記載の飛散防止シートの使用方法。
【発明の詳細な説明】
【技術分野】
【０００１】
本発明は、塗装中の建築構造物の外観を覆う飛散防止シート及び飛散防止シートの使用方法に関する。
【背景技術】
【０００２】
従来より、塗装中の建築構造物の外観を覆う飛散防止シートが用いられている。この飛散防止シートは、建築構造物の塗装中に、塗布中の塗料が周囲に飛散しないようにするためのものである。従来、飛散防止シートは、建築構造物の周囲に立てられた足場の外側、すなわち最外側に設けられる。具体的には、従来の飛散防止シートは、足場の２本の脚部の間に、縦方向に垂れ下がるように張設される（特許文献１参照）。
【先行技術文献】
【特許文献】
【０００３】
【特許文献１】実開平２−１４３４５０号公報
【発明の概要】
【発明が解決しようとする課題】
【０００４】
しかしながら、従来の飛散防止シートでは、足場の脚部との間に隙間があり、周囲への塗料の飛散を完全に防ぐことができない。また、従来の飛散防止シートは、単に塗料の飛散防止の目的だけではなく、工事の防音や工具やその他の材料の転落・飛散の防止のためにも用いられており、足場の一番外側に張るため、汚れが目立ちやすいという問題もある。
【０００５】
本発明は、このような事情に鑑みてなされたもので、外側養生シートと足場脚部との隙間をなくすことができ、周囲への塗料の飛散を防ぐことが可能であり、また、飛散防止シートと外側養生シートとを二重張りにすることで、外側養生シートを汚れにくくすることができる飛散防止シート及び飛散防止シートの使用方法を提供することにある。
【課題を解決するための手段】
【０００６】
請求項１記載の飛散防止シートは、足場の脚部の突起部を貫通させるスリット部を備え、複数の脚部に渡って横方向に幅広に張設可能なシート状であることを特徴とする。
【０００７】
請求項２記載の飛散防止シートは、足場の最外側に設けられた足場の２本の脚部の間に縦方向に張られた外側養生シートの内側に、外側養生シート同士の縦に伸びる隙間を覆うように張設可能であることを特徴とする。
【０００８】
請求項３記載の飛散防止シートの使用方法は、飛散防止シートに設けられたスリット部に、足場の脚部の突起部を貫通させて、飛散防止シートを、複数の脚部に渡って横方向に幅広に張設することを特徴とする。
【０００９】
請求項４記載の飛散防止シートの使用方法は、飛散防止シートを、足場の最外側に設けられた足場の２本の脚部の間に縦方向に張られた外側養生シートの内側に、外側養生シート同士の縦に伸びる隙間を覆うように張設することを特徴とする。
【発明の効果】
【００１０】
本願の発明によれば、外側養生シートと足場脚部との隙間をなくすことができ、周囲への塗料の飛散を防ぐことが可能であり、また、飛散防止シートと外側養生シートとを二重張りにすることで、外側養生シートを汚れにくくすることができる。
【図面の簡単な説明】
【００１１】
【図１】本発明に係る飛散防止シートの一例を示す説明図である。
【図２】同飛散防止シートの使用例を示す説明図である。
【図３】同飛散防止シートの使用例の平面視を示す説明図である。
【図４】同飛散防止シートの使用例の裏面視を示す説明図である。
【図５】同飛散防止シートの使用例の取付詳細を示す説明図である。
【発明を実施するための形態】
【００１２】
以下、本発明の形態について図面を参照しながら具体的に説明する。図１は、本発明に係る飛散防止シートの一例を示す説明図である。図２は、同飛散防止シートの使用例を示す説明図である。図３は、同飛散防止シートの使用例の平面視を示す説明図である。図４は、同飛散防止シートの使用例の裏面視を示す説明図である。図５は、同飛散防止シートの使用例の取付詳細を示す説明図である。
【００１３】
本発明に係る飛散防止シート１０，２０，３０は、塗装中の建築構造物の外観を覆うものである。建築構造物の塗装を行う場合、まず、建築構造物の周囲に足場を設ける。足場は、起立するパイプ状の足場脚部４（４ａ〜４ｇ）を所定間隔で立てて、その足場脚部４（４ａ〜４ｇ）を相互に固定して足場自体が独立して設置されることになる。そして、その足場脚部４（４ａ〜４ｇ）のそれぞれに間の足場の最外側に、縦方向に外側養生シート８（８ａ〜８ｆ）を垂れ幕のように張っていく。尚、足場脚部４（４ａ〜４ｇ）の建築構造物側には、足場脚部４（４ａ〜４ｇ）の間に踏み板を架け渡す突起部６（６ｂ〜６ｄ，６ｆ，６ｇ）が突出している。
【００１４】
ここで、飛散防止シート１０，２０，３０は、外側養生シート８（８ａ〜８ｆ）と同様に、足場の足場脚部４（４ａ〜４ｇ）に張ることができるシート状のものである。大きさ及び形状は、少なくとも複数の足場脚部４（４ａ〜４ｇ）に渡って横方向に幅広になっている（詳細は後述する）。尚、飛散防止シート１０，２０，３０の高さ方向の大きさは、作業性や足場の形状等で、任意に定めるようにすれば良い。また、シート本体１２には、足場脚部４（４ａ〜４ｇ）の突起部６（６ｂ〜６ｄ，６ｆ，６ｇ）を貫通させるスリット部１４（１４ａ〜１４ｃ）を備えている。
【００１５】
本実施の形態では、このスリット部１４（１４ａ〜１４ｃ）は、飛散防止シート１０，２０，３０の上方に足場脚部４（４ａ〜４ｇ）の設けられる間隔で設けられているが、突起部６（６ｂ〜６ｄ，６ｆ，６ｇ）の位置に合わせて、適宜設けるようにすればよく、図の例では、Ｖ字状の切り欠きであるが、形状はこれに限られるものではない。また、飛散防止シート１０，２０，３０のシート本体１２の周囲部分には、飛散防止シート１０，２０，３０を足場脚部４（４ａ〜４ｇ）等に縛り止める紐を通す孔１６が穿設されている。
【００１６】
飛散防止シート１０，２０，３０のシート本体１２の材質は、例えば、ポリエステルの繊維を折り込んだシートにＰＶＣ加工を施したものである。飛散防止シート１０，２０，３０の材質は、塗料の飛散を防止できる材質であればよく、また、付随的な性能として、防火性、防音性、透光性、通風性、遮熱性、遮光性等を有するものであってもよく、材質によって制限されるものではない。すなわち、飛散防止シート１０，２０，３０の材質としては、例えば、塗料の飛散を防止できるものであれば、メッシュ状の繊維等であっても良いわけである。
【実施例１】
【００１７】
次に、図２〜図５に示すような、実際の建築構造物の足場に飛散防止シート１０，２０，３０を設ける例を説明する。まず、図２に示すように、正面に、足場脚部４ａ、足場脚部４ｂ、足場脚部４ｃ、足場脚部４ｄ及び足場脚部４ｅが、等間隔で起立し、それぞれが裏側で連結されている。そして、足場脚部４ａと足場脚部４ｂとの間、足場脚部４ｂと足場脚部４ｃとの間、足場脚部４ｃと足場脚部４ｄとの間、足場脚部４ｄと足場脚部４ｅとの間に、それぞれ、縦に伸びて外側養生シート８ａ，８ｂ，８ｃ，８ｄが張られている。
【００１８】
また、この例では、図３に示すように、足場脚部４ａの奥側に、足場脚部４ｆが起立し、足場脚部４ａと足場脚部４ｆとの間に、縦に伸びて外側養生シート８ｅが張られている。さらに、足場脚部４ｅの奥側に、足場脚部４ｇが起立し、足場脚部４ｅと足場脚部４ｇとの間に、縦に伸びて外側養生シート８ｆが張られている。このような感じで、足場によって建築構造物が囲まれ、また、足場脚部４（４ａ〜４ｇ）のそれぞれの間に縦に伸びて張られた外側養生シート８（８ａ〜８ｆ）で、建築構造物が目隠しされたような状態に覆われる。
【００１９】
このように設けられた足場の外側養生シート８（８ａ〜８ｆ）の内側に、飛散防止シート１０，２０，３０を設けることになる。具体的には、例えば、飛散防止シート１０を、外側養生シート８ａ〜外側養生シート８ｄの裏側に、それらに渡って、張っていく。当然、１枚の飛散防止シート１０で、外側養生シート８ａ〜外側養生シート８ｄのすべてに跨がるように張ることから、足場脚部４ａ〜足場脚部４ｅに渡って１枚で張られることになり、外側養生シート（８ａ〜８ｆ）同士の縦に伸びる隙間を覆うように張設可能となる。尚、このときに、足場脚部４ｂの突起部６ｂが、飛散防止シート１０を張る上で障害となるので、図５に示すように、この突起部６ｂを飛散防止シート１０のスリット部１４ａを貫通させるようにする。足場脚部４ｃの突起部６ｃとスリット部１４ｂ、足場脚部４ｄの突起部６ｄとスリット部１４ｃのそれぞれについても同様である。
【００２０】
飛散防止シート１０と同様に、飛散防止シート２０も、足場脚部４ａと足場脚部４ｆに張られた外側養生シート８ｅの裏側に、足場脚部４ａと足場脚部４ｆを跨がって、張られ、突起部６ｆを飛散防止シート２０のスリット部を貫通させるようにしている。飛散防止シート３０も同様で、足場脚部４ｅと足場脚部４ｇに張られた外側養生シート８ｆの裏側に、足場脚部４ｅと足場脚部４ｇを跨がって、張られ、突起部６ｇを飛散防止シート３０のスリット部を貫通させるようにしている。
【００２１】
以上のような飛散防止シート１０，２０，３０によれば、外側養生シート（８ａ〜８ｆ）と足場脚部４（４ａ〜４ｇ）との隙間をなくすことができ、周囲への塗料の飛散を防ぐことが可能である。また、飛散防止シート１０，２０，３０と外側養生シート（８ａ〜８ｆ）とを二重張りにすることで、外側養生シート（８ａ〜８ｆ）が汚れにくくなる。
【産業上の利用可能性】
【００２２】
以上のように、本発明によれば、外側養生シートと足場脚部との隙間をなくすことができ、周囲への塗料の飛散を防ぐことが可能であり、また、飛散防止シートと外側養生シートとを二重張りにすることで、外側養生シートを汚れにくくすることができる飛散防止シート及び飛散防止シートの使用方法を提供することができる。
【符号の説明】
【００２３】
４・・・・・足場脚部
４ａ・・・・足場脚部
４ｂ・・・・足場脚部
４ｃ・・・・足場脚部
４ｄ・・・・足場脚部
４ｅ・・・・足場脚部
４ｆ・・・・足場脚部
４ｇ・・・・足場脚部
６・・・・・突起部
６ｂ・・・・突起部
６ｃ・・・・突起部
６ｄ・・・・突起部
６ｆ・・・・突起部
６ｇ・・・・突起部
８・・・・・外側養生シート
８ａ・・・・外側養生シート
８ｂ・・・・外側養生シート
８ｃ・・・・外側養生シート
８ｄ・・・・外側養生シート
８ｅ・・・・外側養生シート
８ｆ・・・・外側養生シート
１０・・・・飛散防止シート
１２・・・・シート本体
１４・・・・スリット部
１４ａ・・・スリット部
１４ｂ・・・スリット部
１４ｃ・・・スリット部
１６・・・・孔
２０・・・・飛散防止シート
３０・・・・飛散防止シート
【図１】
2018053509.tif 000003
【図２】
2018053509.tif 000004
【図３】
2018053509.tif 000005
【図４】
2018053509.tif 000006
【図５】
2018053509.tif 000007